(57)【要約】【課題】確実な動作を得る。少ない電力で動作させる。【解決手段】可動子１を可動軸（Ｚ軸）方向に移動可能で、かつ、可動軸を中心とした回転を阻止するように保持する。可動子１を、第１の永久磁石１−１と第２の永久磁石１−２とで構成し、永久磁石１−１，１−２の磁極を可動軸方向に異極同士が対向するように配置する。可動子１の外側にリング状の永久磁石を回転子４として設ける。回転子４は、可動軸を中心として回転可能で、かつ可動軸方向の移動を阻止するように保持する。回転子４を回転させることにより、回転子４の内周面上の磁極の配置を、第１の配置（上側がＳ極、下側がＮ極）と、第２の配置（上側がＮ極、下側がＳ極）との間で入れ替えて、可動子１を可動軸方向の一方側および他方側の移動位置でラッチする。【選択図】  図１
2015053816.tif 000002
【特許請求の範囲】
【請求項１】
可動軸方向に移動可能で、かつ、前記可動軸を中心とした回転を阻止するように保持され、前記可動軸と直交する方向に前記可動軸を挟むように複数の磁極を配置した第１の永久磁石と、前記可動軸と直交する方向に前記可動軸を挟むように、かつ、前記第１の永久磁石の磁極に対して前記可動軸方向に異極同士が対向するように、複数の磁極を配置した第２の永久磁石とを備える可動子と、
前記可動軸を中心として回転可能で、かつ、前記可動軸方向の移動を阻止するように保持され、一方の磁極の位置を前記可動軸を中心とする第１の円周上とし、他方の磁極の位置を前記第１の円周よりも大径の前記可動軸を中心とする第２の円周上とする複数の磁極対を、前記可動軸と直交する方向に前記可動子を挟むように配置した永久磁石を備える回転子と、
前記回転子を回転させて、前記回転子の第１の円周上の磁極の配置を、第１の配置と第２の配置との間で入れ替える回転子回転手段とを備え、
前記回転子は、
前記第１の円周上の磁極の配置が第１の配置である場合、前記可動子の第１の永久磁石を磁気吸引保持する一方、前記可動子の第２の永久磁石を磁気反発させ、
前記第１の円周上の磁極の配置が前記第２の配置である場合、前記可動子の第２の永久磁石を磁気吸引保持する一方、前記可動子の第１の永久磁石を磁気反発させる
ことを特徴とする双安定移動装置。
【請求項２】
請求項１に記載された双安定移動装置において、
前記可動子の第１および第２の永久磁石は、円柱または円筒状とされている
ことを特徴とする双安定移動装置。
【請求項３】
請求項１又は２に記載された双安定移動装置において、
前記可動子の第１および第２の永久磁石は、同一の形状、同一のサイズとされている
ことを特徴とする双安定移動装置。
【請求項４】
請求項１〜３の何れか１項に記載された双安定移動装置において、
前記可動子の第１および第２の永久磁石は、前記可動軸方向の長さが前記回転子の可動軸方向の長さ以上とされている
ことを特徴とする双安定移動装置。
【請求項５】
請求項１〜４の何れか１項に記載された双安定移動装置において、
前記可動子の第１および第２の永久磁石は、一体とされている
ことを特徴とする双安定移動装置。
【請求項６】
請求項１〜４の何れか１項に記載された双安定移動装置において、
前記可動子の第１および第２の永久磁石は、離間して配置されている
ことを特徴とする双安定移動装置。
【請求項７】
請求項６に記載された双安定移動装置において、
前記可動子の第１および第２の永久磁石は、非磁性の部材で接続されている
ことを特徴とする双安定移動装置。
【請求項８】
請求項６又は７に記載された双安定移動装置において、
前記可動子および前記回転子の近接対向するエッジの両方または片方に面取り部が形成されている
ことを特徴とする双安定移動装置。
【請求項９】
請求項１〜８の何れか１項に記載された双安定移動装置において、
前記可動子は、
前記可動軸方向に移動可能で、かつ、前記可動軸を中心とした回転を阻止するように保持された非磁性シャフトの可動軸方向に接続されている
ことを特徴とする双安定移動装置。
【請求項１０】
請求項１〜８の何れか１項に記載された双安定移動装置において、
前記可動子は、
前記可動軸方向に移動可能に保持された非磁性シャフトの可動軸方向に接続され、前記非磁性シャフトは、前記可動軸を中心とした回転を阻止する手段に接続されている
ことを特徴とする双安定移動装置。
【請求項１１】
請求項１〜１０の何れか１項に記載された双安定移動装置において、
前記回転子は、径方向に着磁されたリングまたは円筒状の永久磁石で形成されている
ことを特徴とする双安定移動装置。
【請求項１２】
請求項１〜１０の何れか１項に記載された双安定移動装置において、
前記回転子は、
１対の磁極を持つ複数の永久磁石を、その磁極方向が前記可動軸と直交するように、前記可動子を挟むようにして配置した構成とされている
ことを特徴とする双安定移動装置。
【請求項１３】
請求項１〜１２の何れか１項に記載された双安定移動装置において、
前記回転子回転手段は、
外部から機械的な力を与えることにより前記回転子を回転させる
ことを特徴とする双安定移動装置。
【請求項１４】
請求項１〜１２の何れか１項に記載された双安定移動装置において、
前記回転子回転手段は
前記回転子の永久磁石に外部から磁界を与えることにより前記回転子を回転させる
ことを特徴とする双安定移動装置。
【請求項１５】
請求項１４に記載された双安定移動装置において、
前記回転子回転手段は
前記可動軸とほゞ直交する方向から永久磁石を近づけて、前記回転子の永久磁石に逆方向の磁界を与えることにより前記回転子を回転させる
ことを特徴とする双安定移動装置。
【請求項１６】
請求項１４に記載された双安定移動装置において、
前記回転子回転手段は
電磁コイルと、この電磁コイルのコアの一端および他端にその一方の端部が接続または一体化された第１および第２のヨークとを備え、
前記第１および第２のヨークの他方の端部は、
前記可動軸とほゞ直交する方向から前記回転子の永久磁石の第２の円周上の隣り合う１対の磁極にほゞ対向するように配置されている
ことを特徴とする双安定移動装置。
【請求項１７】
請求項１６に記載された双安定移動装置において、
前記第１のヨークの他方の端部の中心と前記可動軸とを直交するように結ぶ線と前記第１のヨークの他方の端部とほゞ対向する前記回転子の永久磁石の第２の円周上の磁極の中心と前記可動軸とを直交するように結ぶ線との交差角、および前記第２のヨークの他方の端部の中心と前記可動軸とを直交するように結ぶ線と前記第２のヨークの他方の端部とほゞ対向する前記回転子の永久磁石の第２の円周上の磁極の中心と前記可動軸とを直交するように結ぶ線との交差角が、前記電磁コイルの非励磁状態において、前記可動軸方向からみて０゜より大きく、９０゜より小さい範囲とされている
ことを特徴とする双安定移動装置。
【請求項１８】
請求項１７に記載された双安定移動装置において、
前記交差角度の設定が、前記可動子の前記可動軸を中心とする回転角度の設定によって行われている
ことを特徴とする双安定移動装置。
【請求項１９】
請求項１７に記載された双安定移動装置において、
前記交差角度の設定が、前記第１および第２のヨークを非対称な形状または配置にすることによって行われている
ことを特徴とする双安定移動装置。
【請求項２０】
請求項１６〜１９の何れか１項に記載された双安定移動装置において、
前記第１および第２のヨークは、前記他方の端部の形状が円弧状とされている
ことを特徴とする双安定移動装置。
【請求項２１】
請求項１６〜２０の何れか１項に記載された双安定移動装置において、
前記第１および第２のヨークは、前記他方の端部が部分的に接続または一体化されている
ことを特徴とする双安定移動装置。
【請求項２２】
請求項１〜２１の何れか１項に記載された双安定移動装置において、
前記可動子の可動軸方向の可動範囲を制限する手段を備えている
ことを特徴とする双安定移動装置。
【発明の詳細な説明】
【技術分野】
【０００１】
この発明は、可動子と回転子を用い、可動子を２つの位置の間で移動させ、そのどちらかの位置に保持する双安定移動装置に関するものである。
【背景技術】
【０００２】
従来より、この種の双安定移動装置として、遮断弁や電磁開閉器、電子ロックなどの様々な用途で、可動子が２つの位置の間を移動でき、そのどちらかの位置に保持する機構を備えた双安定ラッチ型のソレノイドが使用されている。
【０００３】
例えば、特許文献１には双安定型リニア電磁ソレノイドとして、特許文献２にはソレノイドアクチュエータとして、軸方向に移動可能な非磁性軸に固定されたプランジャ（可動子）が、プランジャを挟んで軸方向に対称に設置された固定コアを備えた１組の永久磁石（固定子）のどちらか一方にラッチされるように構成され、他端への移動はそれらを囲んで軸方向に対称に配置された１組の励磁コイルにより行う双安定移動装置が開示されている。
【０００４】
また、特許文献１や特許文献２では、可動子が鉄心で固定子に磁石を配置しているのに対して、例えば、特許文献３に示された双方向ラッチングソレノイドは、逆に可動子が磁石で、固定子を鉄心のみで構成されているが、いずれにしても、従来の双安定移動装置は可動子と固定子のどちらか一方が鉄心（磁性体）で、他方が磁石という構成とされている。
【先行技術文献】
【特許文献】
【０００５】
【特許文献１】特開平８−２８８１２９号公報
【特許文献２】特開平７−３３５４３４号公報
【特許文献３】特開平２０１０−９８０３７号公報
【発明の概要】
【発明が解決しようとする課題】
【０００６】
しかしながら、上述した従来の双安定移動装置では、可動子と固定子のどちらか一方が鉄心（磁性体）で、他方が磁石という構成であるために、励磁コイルへの供給電流（励磁電流）を遮断した状態で１組の固定子のどちらか一方に可動子がラッチされている状態のときに、他方向への衝撃や過大力が掛かり、可動子が他方向へ移動してしまった場合は、可動子が他方向でラッチされてしまい、重大な誤動作となってしまう。特に、遮断弁や電磁開閉器、電子ロックなどでは、衝撃で開閉状態が逆になってしまうという致命的な問題となる。
【０００７】
また、それを防止するためにラッチ用永久磁石の磁力を強くするなどして、ラッチ力を強くすると、ラッチの解除および他方向への移動に大きな電力が必要になる、という問題が生じる。
【０００８】
また、可動子の可動軸方向への移動の初期動作、つまり、最も離れた状態での可動子の吸引動作を電磁力で行うために、特に、ストローク（≒可動子と固定子間のギャップ）が大きい場合、電磁力は距離（ギャップ）のほぼ２乗に反比例するため、大きな電力が必要になる。
【０００９】
本発明は、このような課題を解決するためになされたもので、その目的とするところは、可動子に他方向への衝撃や一時的な過大力が掛かり、可動子が他方向へ移動してしまった場合でも、可動子が他方向でラッチされることがなく、可動子が元の方向でのラッチに自動的に復帰する、安全性が高く、確実な動作を得ることが可能な双安定移動装置を提供することにある。
また、従来のソレノイドで可動軸方向への移動の主動力に使われる場合よりも少ない電力で動作させることが可能な双安定移動装置を提供することにある。
【課題を解決するための手段】
【００１０】
このような目的を達成するために本発明は、可動軸方向に移動可能で、かつ、可動軸を中心とした回転を阻止するように保持され、可動軸と直交する方向に可動軸を挟むように複数の磁極を配置した第１の永久磁石と、可動軸と直交する方向に可動軸を挟むように、かつ、第１の永久磁石の磁極に対して可動軸方向に異極同士が対向するように、複数の磁極を配置した第２の永久磁石とを備える可動子と、可動軸を中心として回転可能で、かつ、可動軸方向の移動を阻止するように保持され、一方の磁極の位置を可動軸を中心とする第１の円周上とし、他方の磁極の位置を第１の円周よりも大径の可動軸を中心とする第２の円周上とする複数の磁極対を、可動軸と直交する方向に可動子を挟むように配置した永久磁石を備える回転子と、回転子を回転させて、回転子の第１の円周上の磁極の配置を、第１の配置と第２の配置との間で入れ替える回転子回転手段とを備え、回転子は、第１の円周上の磁極の配置が第１の配置である場合、可動子の第１の永久磁石を磁気吸引保持する一方、可動子の第２の永久磁石を磁気反発させ、第１の円周上の磁極の配置が第２の配置である場合、可動子の第２の永久磁石を磁気吸引保持する一方、可動子の第１の永久磁石を磁気反発させることを特徴とする。
【００１１】
本発明において、可動子は、可動軸方向に移動可能で、かつ、可動軸を中心とした回転を阻止するように保持され、可動軸と直交する方向に可動軸を挟むように複数の磁極を配置した第１の永久磁石と、可動軸と直交する方向に可動軸を挟むように、かつ、第１の永久磁石の磁極に対して可動軸方向に異極同士が対向するように、複数の磁極を配置した第２の永久磁石とで構成されており、回転子は、回転させることによって、第１の円周上の磁極の配置を第１の配置と第２の配置との間で入れ替えることができる。
【００１２】
本発明において、回転子を回転させ、回転子の第１の円周上の磁極の配置を第１の配置とすると、可動子の第１の永久磁石を磁気吸引保持する一方、可動子の第２の永久磁石を磁気反発させる。また、回転子を回転させ、回転子の第１の円周上の磁極の配置を第２の配置とすると、可動子の第２の永久磁石を磁気吸引保持する一方、可動子の第１の永久磁石を磁気反発させる。
【００１３】
すなわち、本発明において、回転子の第１の円周上の磁極の配置が第１の配置にあり、可動子の第１の永久磁石が回転子に磁気吸引されている場合に、回転子を回転させて回転子の第１の円周上の磁極の配置を第２の配置にすると、可動子の第１の永久磁石と回転子との間の磁気吸引力が消失し、第１の永久磁石と回転子との間に磁気反発力が発生する。これにより、第１の永久磁石が回転子を離れるとともに、第２の永久磁石が回転子に近づき、第２の永久磁石との間に生じる磁気吸引力との合力により、可動子が可動軸方向の一方側に移動し、可動子の第２の永久磁石が回転子によりラッチ（吸引・保持）される。
【００１４】
また、本発明において、回転子の第１の円周上の磁極の配置が第２の配置にあり、可動子の第２の永久磁石が回転子に磁気吸引されている場合に、回転子を回転させて回転子の第１の円周上の磁極の配置を第１の配置にすると、可動子の第２の永久磁石と回転子との間の磁気吸引力が消失し、第２の永久磁石と回転子との間に磁気反発力が発生する。これにより、第２の永久磁石が回転子を離れるとともに、第１の永久磁石が回転子に近づき、第１の永久磁石との間に生じる磁気吸引力との合力により、可動子が可動軸方向の他方方側に移動し、可動子の第１の永久磁石が回転子によりラッチ（吸引・保持）される。
【００１５】
本発明において、例えば、回転子の第１の円周上の磁極の配置が第１の配置にあり、可動子の第１の永久磁石が回転子に磁気吸引されている場合に、可動軸方向の一方側への衝撃や一時的な過大力が掛かり、可動子が可動軸方向の一方側へ移動してしまったとする。この場合、可動子は、回転子の第１の円周上の磁極の配置が第１の配置にある状態で、第１の永久磁石が回転子にラッチされている状態から、可動軸方向の一方側へ移動する。可動子の第２の永久磁石が回転子に近づくと、第２の永久磁石と回転子との間には磁気反発力が発生する。
【００１６】
これにより、第２の永久磁石が回転子から離れるとともに、第１の永久磁石が回転子に近づき、第１の永久磁石と回転子との間に生じる磁気吸引力との合力により、可動子が可動軸方向の他方側に戻される。すなわち、可動子が可動軸方向の一方側へ移動しても、可動子は可動軸方向の一方側に移動した位置ではラッチされずに、自動的に可動軸方向の他方側に移動した位置でのラッチ（元のラッチ状態）に復帰する。
【００１７】
本発明において、例えば、回転子の第１の円周上の磁極の配置が第２の配置にあり、可動子の第２の永久磁石が回転子に磁気吸引されている場合に、可動軸方向の他方側への衝撃や一時的な過大力が掛かり、可動子が可動軸方向の他方側へ移動してしまったとする。この場合、可動子は、回転子の第１の円周上の磁極の配置が第２の配置にある状態で、第２の永久磁石が回転子にラッチされている状態から、可動軸方向の他方側へ移動する。可動子の第１の永久磁石が回転子に近づくと、第１の永久磁石と回転子との間には磁気反発力が発生する。
【００１８】
これにより、可動子の第１の永久磁石が回転子から離れるとともに、第２の永久磁石が回転子に近づき、第２の永久磁石と回転子との間に生じる磁気吸引力との合力により、可動子が可動軸方向の一方側に戻される。すなわち、可動子が可動軸方向の他方側へ移動しても、可動子は可動軸方向の他方側に移動した位置ではラッチされずに、自動的に可動軸方向の一方側に移動した位置でのラッチ（元のラッチ状態）に復帰する。
【００１９】
このように、本発明では、回転子を回転させて回転子の第１の円周上の磁極の配置を入れ替えなければ、可動子の一方側に移動した位置から他方側に移動した位置へのラッチの切り換え、他方側に移動した位置から一方側に移動した位置へのラッチの切り換えを行うことができない。また、回転子の第１の円周上の磁極の配置を入れ替えない状態で、一方側に移動した位置にラッチされている可動子の他方側への移動、他方側に移動した位置にラッチされている可動子の一方側への移動が生じた場合、自動的に元のラッチ状態に復帰される。これは、可動子の可動軸方向の移動に、回転子の回転というロック機構を付加したことによるものであり、このロック機構を付加することによって、安全性が高められ、確実な動作を得ることが可能となる。
【００２０】
また、本発明では、可動子と回転子の両方に永久磁石を使用し、可動子を可動軸方向へ移動させるための主動力は、回転子（永久磁石）との間で働く、移動元側の可動子（永久磁石）の磁気反発力と、移動先側の可動子（永久磁石）の磁気吸引力の両方を同時に使用して行い、回転子を回転させるための回転力は、パイロット動力として、回転子の第１の円周上の磁極の配置を入れ替えるためにだけに使用されるので、例えば回転子（永久磁石）に近接した位置から瞬間的に磁界を与え、回転子の第１の円周上の磁極の配置を入れ替えるために必要な回転トルクを発生させるようにするだけでよく、従来のソレノイドで可動軸方向への移動の主動力に使われる場合よりも、（原理的に）少ない電力で動作させることが可能となる。なお、回転子を回転させるための回転力（回転トルク）は、必ずしも電磁力でなくてもよく、外部からの機械的な力であってもよい。
【００２１】
本発明において、可動子は、可動軸方向に移動可能で、かつ、可動軸を中心とした回転を阻止するように保持される必要がある。このために、例えば、可動子または可動子が接続されたシャフトなどに回転止め機構を設置するなどして、可動軸を中心とした回転を阻止するようにし、可動軸方向への移動のみを可能とする。一方、回転子は、可動軸を中心として回転可能で、かつ可動軸方向の移動を阻止するように保持される必要があり、例えば、環状の溝に配置するなどしてなどして、可動軸方向の移動を阻止するようにし、可動軸を中心とした回転のみを可能とする。
【００２２】
本発明において、可動子の永久磁石と回転子の永久磁石とを接触しないように配置すると、従来技術でラッチ時に発生する磁石への衝撃力や吸着音も抑制され、また、コンプライアンスを持ったラッチ状態に保持できるため、従来のソレノイドのようにメカ的な緩衝機構やバネ機構などを付加する必要がなくなるというメリットが生じる。
【００２３】
さらに、本発明において、回転子の永久磁石に外部から磁界を与えることにより回転子を回転させるような構成の場合は、回転子の永久磁石の第２の円周上に配置された磁極（外周側の磁極）を回転力発生用に使用し、回転子の永久磁石の第１の円周上に配置された磁極（内周側の磁極）を可動子の磁気吸引保持と磁気反発用に使用するようにして、可動子との間に発生する磁気吸引力に起因する内周側からの回転を妨げるトルクに対して、外周側からの弱い力で回転子を回転させることができるため、回転子回転手段の小型化と省電力化とが可能となる。
【００２４】
また、本発明では、さらなる安全対策として、通常の保持状態では回転子が衝撃などで意図しない回転をしないように、回転子に回転力を与えるヨークや永久磁石との間の吸引力やレバーなどのメカ機構などで、回転子の外周側に回転保持力が働くようにしておくことが好ましい。
【００２５】
なお、本発明において、可動子の永久磁石（第１および第２の永久磁石）としては、最も単純な例として２磁極のものが考えられるが、４磁極（例えば、円柱径方向着磁（円筒の場合は、内周側にも磁極があるため８磁極））以上の多磁極でも同様に構成することが可能である。
【発明の効果】
【００２６】
本発明によれば、可動子を第１の永久磁石（可動軸と直交する方向に可動軸を挟むように複数の磁極を配置した永久磁石）と第２の永久磁石（可動軸と直交する方向に可動軸を挟むように、かつ、第１の永久磁石の磁極に対して可動軸方向に異極同士が対向するように、複数の磁極を配置した永久磁石）とを備えた構成とし、回転子を回転させることによって回転子の第１の円周上の磁極の配置を第１の配置と第２の配置との間で入れ替え、回転子の第１の円周上の磁極の配置が第１の配置である場合に、可動子の第１の永久磁石を磁気吸引保持する一方、可動子の第２の永久磁石を磁気反発させ、回転子の第１の円周上の磁極の配置が第２の配置である場合に、可動子の第２の永久磁石を磁気吸引保持する一方、可動子の第１の永久磁石を磁気反発させるようにしたので、可動子に他方向への衝撃や一時的な過大力が掛かり、可動子が他方向へ移動してしまった場合でも、可動子が他方向でラッチされることがなく、可動子が元の方向でのラッチに自動的に復帰するものとなり、確実な動作を得ることが可能となり、安全性が高められる。
【００２７】
また、本発明によれば、回転子を回転させるための回転力は、パイロット動力として、回転子の第１の円周上の磁極の配置を入れ替えるためにだけに使用されるので、例えば回転子の永久磁石に近接した位置から瞬間的に磁界を与えるようにするだけでよく、従来のソレノイドで可動軸方向への移動の主動力に使われる場合よりも少ない電力で動作させることが可能となる。
【図面の簡単な説明】
【００２８】
【図１】本発明に係る双安定移動装置の一実施の形態の要部の構成を示す図（可動子が可動軸方向の他方側に移動した状態でラッチされている状態を示す図）である。
【図２】本発明に係る双安定移動装置の一実施の形態の要部の構成を示す図（可動子が可動軸方向の一方側に移動した状態でラッチされている状態を示す図）である。
【図３】可動子の第１の永久磁石と第２の永久磁石とを離間して配置するようにした例を示す図（図１に対応する図）である。
【図４】可動子の第１の永久磁石と第２の永久磁石とを離間して配置するようにした例を示す図（図２に対応する図）である。
【図５】可動子および回転子の近接対向するエッジの両方に面取り部を形成するようにした例を示す図である。
【図６】可動体の可動軸を中心とした回転を阻止する機構（回転止め機構）の要部を示す図である。
【図７】２つの永久磁石をその磁極方向が可動軸と直交するように可動子を挟むようにして配置した回転子を用いた例を示す図である。
【図８】２つの永久磁石をその磁極方向が可動軸と直交するように可動子を挟むようにして配置した回転子の他の例を示す図である。
【図９】２つの永久磁石をその磁極方向が可動軸と直交するように可動子を挟むようにして配置した回転子の別の例を示す図である。
【図１０】可動軸を挟んでその軸芯をほゞ一致させてかつそのコアの一端を対向させて配置した１組の電磁コイルを用いた例を示す図である。
【図１１】可動軸とほゞ直交する方向から可動子を挟んで対向するヨークの他方の端部の形状を平坦面とした例を示す図である。
【図１２】可動軸とほゞ直交する方向から可動子を挟んで対向するヨークの他方の端部を部分的に接続または一体化させた例を示す図である。
【図１３】可動軸とほゞ直交する方向から可動子を挟んで対向するヨークの他方の端部の形状を非対称とした例を示す図である。
【図１４】可動軸とほゞ直交する方向から可動子を挟んで対向するヨークの他方の端部にノッチを設けるようにした例を示す図である。
【図１５】可動軸とほゞ直交する方向から可動子を挟んで対向するヨークの端部の中心を結ぶ線と可動軸とを交わらせないようにした例を示す図である。
【図１６】可動軸とほゞ直交する方向から可動子を挟んで対向するヨーク端部の中心を可動軸に直交する面内で可動子の両側にずらすようにした例を示す図である。
【図１７】回転子に対し可動軸とほゞ直交する方向から進退自在として１組の回転力発生用の永久磁石を設けるようにした例を示す図（可動軸方向の他方側に移動した状態でラッチされている状態を示す図）である。
【図１８】回転子に対し可動軸とほゞ直交する方向から進退自在として１組の回転力発生用の永久磁石を設けるようにした例を示す図（可動軸方向の一方側に移動した状態でラッチされている状態を示す図）である。
【図１９】回転子に回転レバーを取り付けて外部から機械的な力（回転トルク）を与えて回転子を回転させるようにした例を示す図である。
【図２０】可動体の可動軸を中心とした回転を阻止する機構（回転止め機構）の他の例を示す図である。
【図２１】回転止め機構の別の例を示す図である。
【図２２】回転止め機構の別の例を示す図である。
【図２３】回転止め機構の別の例を示す図である。
【図２４】回転止め機構の別の例を示す図である。
【図２５】可動体（可動子）および回転子の保持構造を例示（回転子を隔室に配置した例）する図である。
【図２６】可動体（可動子）および回転子の保持構造を例示（回転子を隔室の外側に配置した例）する図である。
【図２７】可動子の第１および第２の永久磁石を４磁極とした場合の要部の構成を示す図である。
【図２８】可動子の第１および第２の永久磁石を４磁極とした場合の回転子回転手段を構成するヨークの配置を示す図である。
【図２９】可動子の第１および第２の永久磁石を４磁極とした場合に回転子における磁極対を上下だけの２方向とした例を示す図である。
【発明を実施するための形態】
【００２９】
以下、本発明を図面に基づいて詳細に説明する。図１は本発明に係る双安定移動装置の一実施の形態の要部の構成を示す図（図１（ａ）は正面図、図１（ｂ）は図１（ａ）におけるＡ−Ａ線断面図）である。
【００３０】
図１において、１（１Ａ）は可動子であり、その両端にはシャフト２−１，２−２が接続されている。シャフト２−１，２−２は非磁性体とされている。以下では、この可動子１とシャフト２−１，２−２とからなる一体物を可動体と呼び、符号３で示す。
【００３１】
可動体３は、シャフト２−１，２−２の軸方向（Ｚ軸方向）に移動可能に設けられている。すなわち、可動体３（可動子１）は、Ｚ軸方向を可動軸方向とし、この可動軸方向に移動可能に設けられている。
【００３２】
また、可動体３（可動子１）は、Ｚ軸を中心とした回転を阻止するように保持されている。このＺ軸を中心とした可動体３（可動子１）の回転を阻止する機構（回転止め機構）については後述する。以下、Ｚ軸を可動軸と呼ぶ。
【００３３】
可動子１は、円柱状の第１の永久磁石１−１と第２の永久磁石１−２とから構成され、永久磁石１−１および１−２は径方向に着磁されている。本実施の形態において、永久磁石１−１と１−２とは一体とされており、永久磁石１−１が可動軸方向の一方側に設けられ、永久磁石１−２が可動軸方向の他方側に設けられている。
【００３４】
また、この例において、永久磁石１−１は、可動軸Ｚと直交する方向に可動軸Ｚを挟むように２つの磁極を配置した構成とされ、可動軸Ｚを挟んで対向する一方の面側（図１の状態では上側）がＮ極、他方の面側（図１の状態では下側）がＳ極とされている。
【００３５】
また、永久磁石１−２も、永久磁石１−１と同様に、可動軸Ｚと直交する方向に可動軸Ｚを挟むように２つの磁極を配置した構成とされ、可動軸Ｚを挟んで対向する一方の面側（図１の状態では上側）がＳ極、他方の面側（図１の状態では下側）がＮ極とされている。
【００３６】
すなわち、この例において、永久磁石１−１と１−２とは、可動軸方向に異極同士が対向するように、可動軸Ｚと直交する方向に可動軸Ｚを挟むように１対の磁極が配置された構成とされている。
【００３７】
なお、この例において、永久磁石１−１および１−２の磁極の方向は、図１（ａ）に示されるように、可動軸Ｚと直交する垂直方向の線Ｌ１の方向を基準方向とした場合、この基準方向に対してθだけ傾けられている。
【００３８】
図１において、４（４Ａ）は回転子であり、可動軸Ｚを中心として回転可能で、かつ、可動軸方向の移動を阻止するように保持されている。回転子４は、径方向に着磁されたリングまたは円筒状の永久磁石（この例では、リング状の永久磁石）とされており、このリング状の永久磁石の中空部４ａを通して可動軸方向に移動可能に可動体３（可動子１）が設けられている。
【００３９】
回転子４において、リング状の永久磁石の内周面は、可動軸Ｚを挟んで対向する一方の面側（図１の状態では上側）がＳ極、他方の面側（図１の状態では下側）がＮ極とされており、リング状の永久磁石の外周面は、可動軸Ｚを挟んで対向する一方の面側（図１の状態では上側）がＮ極、他方の面側（図１の状態では下側）がＳ極とされている。
【００４０】
すなわち、回転子４には、可動軸Ｚを中心とする第１の円周（内周面）上をＳ極の位置とし、可動軸Ｚを中心とする第１の円周よりも大径の第２の円周（外周面）上をＮ極の位置とする第１の磁極（上側の磁極対）対と、可動軸Ｚを中心とする第１の円周（内周面）上をＮ極の位置とし、可動軸Ｚを中心とする第１の円周よりも大径の第２の円周（外周面）上をＳ極の位置とする第２の磁極対（下側の磁極対）とが、可動軸Ｚを直交する方向に可動子１を挟むように配置されている。
【００４１】
なお、この例において、可動子１の永久磁石１−１，１−２は、同一の形状、同一のサイズとされている。また、可動子１の永久磁石１−１，１−２の可動軸方向の長さｌは、回転子４の可動軸方向の長さＬ以上とされている。
【００４２】
図１において、７（７Ａ）は、可動軸Ｚとほゞ直交する方向から回転子４に正逆方向の磁界を与えて回転子４を回転（１８０゜回転）させて、回転子４の内周面上の磁極の配置を、第１の配置と第２の配置との間で入れ替える回転子回転手段である。
【００４３】
この回転子回転手段７は、電磁コイル５と、この電磁コイル５のコアの一端および他端にその一方の端部が接続または一体化されたヨーク６−１および６−２とから構成されている。
【００４４】
この回転子回転手段７において、ヨーク６−１および６−２の他方の端部は、可動軸Ｚとほゞ直交する方向から回転子４を挟んで対向している。すなわち、回転子４の外周面の隣り合う１対の磁極にほゞ対向している。また、このヨーク６−１および６−２の他方の端部は、その形状が回転子４の外周面の形状に合わせて円弧状とされている。この円弧の形状は、回転子４の外周と同心円状に形成するのが回転効率を向上させるために好ましい。
【００４５】
〔通常のラッチ動作〕
図１の状態は、回転子回転手段７によって回転子４を回転させ、回転子４の内周面上の磁極の配置を第１の配置（上側がＳ極、下側がＮ極）に切り替えた状態を示している。
【００４６】
この第１の配置において、回転子４（リング状の永久磁石）の内周面の磁極は図１に示されているように、上側がＳ極、下側がＮ極となる。この状態において、回転子４は、可動子１の永久磁石１−１を磁気吸引している。すなわち、中空部４ａ内に可動子１の永久磁石１−１を引き込んで、ラッチ（吸引・保持）している。
【００４７】
なお、図１の状態は、回転子回転手段７によって回転子４を回転させた後、すなわち電磁コイル５への通電を行った後、電磁コイル５への通電を遮断した状態（非励磁状態）を示している。
【００４８】
この電磁コイル５の非励磁状態において、回転子４は、可動子１の永久磁石１−１との間の磁気吸引力によって、可動子１の永久磁石１−１の磁極の方向に沿って、その磁極の方向をほゞθだけ傾けた状態で静止している。
【００４９】
この状態から、回転子回転手段７によって回転子４を回転（１８０゜回転）させ、回転子４の内周面上の磁極の配置を第２の配置に切り替えたとする。すなわち、回転子４の内周面の磁極の位置を入れ替え、下側をＳ極、上側をＮ極にしたとする。すると、可動子１の永久磁石１−１と回転子４との間の磁気吸引力が消失し、永久磁石１−１と回転子４との間に磁気反発力が発生する。
【００５０】
これにより、永久磁石１−１が回転子４を離れるとともに、永久磁石１−２が回転子４に近づき、永久磁石１−２との間に生じる磁気吸引力との合力により、可動子１が可動軸方向の一方側（図１（ｂ）に示す左方向）に移動し、可動子１の永久磁石１−２が回転子４によりラッチされる（図２参照）。
【００５１】
なお、図２の状態は、回転子回転手段７によって回転子４を回転させた後、すなわち電磁コイル５への通電を行った後、電磁コイル５への通電を遮断した状態（非励磁状態）を示している。この場合も、回転子４は、可動子１の永久磁石１−２との間の磁気吸引力によって、可動子１の永久磁石１−２の磁極の方向に沿って、その磁極の方向をほゞθだけ傾けた状態で静止する。
【００５２】
次に、この状態（図２の状態）から、回転子回転手段７によって回転子４を回転（１８０゜回転）させ、回転子４の内周面上の磁極の配置を第１の配置に切り替えたとする。すなわち、回転子４の内周面の磁極の位置を入れ替え、下側をＮ極、上側をＳ極にしたとする。すると、可動子１の永久磁石１−２と回転子４との間の磁気吸引力が消失し、永久磁石１−２と回転子４との間に磁気反発力が発生する。
【００５３】
これにより、永久磁石１−２が回転子４を離れるとともに、永久磁石１−１が回転子４に近づき、永久磁石１−１との間に生じる磁気吸引力との合力により、可動子１が可動軸方向の他方側（図２（ｂ）に示す右方向）に移動し、可動子１の永久磁石１−１が回転子４によりラッチされる（図１参照）。
【００５４】
このようにして、回転子回転手段７によって回転子４を回転させることによって、可動子１が回転子４と非接触で移動し、可動子１の一方側でのラッチ、他方側でのラッチが行われる。この場合、回転子４の外周面の磁極を回転力発生用に使用し、回転子４の内周面の磁極を可動子１の磁気吸引保持と磁気反発用に使用することから、可動子１との間に発生する磁気吸引力に起因する内周側からの回転を妨げるトルクに対して、外周側からの弱い力で回転子４を回転させることができる。これにより、回転子回転手段７の小型化と省電力化とが可能となる。
【００５５】
また、回転子４は、電磁コイル５の非励磁状態において、その磁極の方向がほゞθだけ傾けられて静止しているので、回転子回転手段７からの電磁力を受けて効率よく回転する。
【００５６】
すなわち、電磁コイル５の非励磁状態において、ヨーク６−１の他方の端部の中心と可動軸Ｚとを直交するように結ぶ線とヨーク６−１の他方の端部とほゞ対向する回転子４の外周面の磁極の中心と可動軸Ｚとを結ぶ線との交差角をθとして、またヨーク６−２の他方の端部の中心と可動軸Ｚとを直交するように結ぶ線とヨーク６−２の他方の端部とほゞ対向する回転子４の外周面の磁極の中心と可動軸Ｚとを結ぶ線との交差角をθとして生じさせていることから、電磁コイル５を励磁状態とした時に発生する電磁力が回転子４の回転に効率よく作用する。なお、上述の交差角をθをつけていない場合は、つまり、θ＝０の場合は、電磁力を受けても右回りと左回り（時計方向と反時計方向）の回転力がバランスしてしまうため回転しにくい。
【００５７】
これにより、回転子４を回転させ易くなり、低電力で回転させることができ、回転子回転手段７の小電力化が可能となる。また、回転子４が一方向に回転する。なお、この場合の交差角θは、０゜より大きく、９０゜より小さい範囲とすることが好ましい。
【００５８】
〔ラッチ状態で他方向への衝撃や一時的な過大力が掛かった場合〕
今、回転子４の内周面上の磁極の配置が第１の配置とされ、可動子１の永久磁石１−１が回転子４に磁気吸引されている場合に（図１参照）、可動軸方向の一方側への衝撃や一時的な過大力が掛かり、可動子１が可動軸方向の一方側へ移動してしまったとする。
【００５９】
この場合、可動子１は、回転子４の内周面上の磁極の配置が第１の配置にある状態で、永久磁石１−１が回転子４にラッチされている状態から、可動軸方向の一方側へ移動する。可動子１の永久磁石１−２が回転子４に近づくと、永久磁石１−２と回転子４との間には磁気反発力が発生する。
【００６０】
これにより、永久磁石１−２が回転子４から離れるとともに、永久磁石１−１が回転子４に近づき、永久磁石１−１と回転子４との間に生じる磁気吸引力との合力により、可動子１が可動軸方向の他方側に戻される。
【００６１】
すなわち、可動軸方向の一方側への衝撃や一時的な過大力が掛かり、可動子１が可動軸方向の一方側へ移動しても、可動子１は可動軸方向の一方側に移動した位置ではラッチされずに、自動的に可動軸方向の他方側に移動した位置でのラッチ（元のラッチ状態）に復帰する。
【００６２】
今、回転子４の内周面上の磁極の配置が第２の配置とされ、可動子１の永久磁石１−２が回転子４に磁気吸引されている場合に（図２参照）、可動軸方向の他方側への衝撃や一時的な過大力が掛かり、可動子１が可動軸方向の他方側へ移動してしまったとする。
【００６３】
この場合、可動子１は、回転子４の内周面上の磁極の配置が第２の配置にある状態で、永久磁石１−２が回転子４にラッチされている状態から、可動軸方向の他方側へ移動する。可動子１の永久磁石１−１が回転子４に近づくと、永久磁石１−１と回転子４との間には磁気反発力が発生する。
【００６４】
これにより、永久磁石１−１が回転子４から離れるとともに、永久磁石１−２が回転子４に近づき、永久磁石１−２と回転子４との間に生じる磁気吸引力との合力により、可動子１が可動軸方向の一方側に戻される。
【００６５】
すなわち、可動軸方向の他方側への衝撃や一時的な過大力が掛かり、可動子１が可動軸方向の他方側へ移動しても、可動子１は可動軸方向の他方側に移動した位置ではラッチされずに、自動的に可動軸方向の一方側に移動した位置でのラッチ（元のラッチ状態）に復帰する。
【００６６】
このように、本実施の形態の双安定移動装置では、回転子４を回転させて回転子４の内周面上の磁極の配置を入れ替えなければ、可動子１の一方側に移動した位置から他方側に移動した位置へのラッチの切り換え、他方側に移動した位置から一方側に移動した位置へのラッチの切り換えを行うことができない。また、回転子４の内周面上の磁極の配置を入れ替えない状態で、一方側に移動した位置にラッチされている可動子１の他方側への移動、他方側に移動した位置にラッチされている可動子１の一方側への移動が生じた場合、自動的に元のラッチ状態に復帰する。
【００６７】
本実施の形態の双安定移動装置では、可動子１の可動軸方向の移動に、回転子４の回転というロック機構を付加しており、このロック機構を付加することによって、確実な動作を得ることが可能となり、安全性が高められる。
【００６８】
また、本実施の形態の双安定移動装置では、可動子１と回転子４の両方に永久磁石を使用し、可動子１を可動軸方向へ移動させるための主動力は、回転子（永久磁石）４との間で働く、移動元側の可動子１（永久磁石）の磁気反発力と、移動先側の可動子１（永久磁石）の磁気吸引力の両方を同時に使用して行い、回転子４を回転させるための回転力は、パイロット動力として、回転子４の内周面上の磁極の配置を入れ替えるためにだけに使用される。これにより、回転子（永久磁石）４に近接した位置から瞬間的に磁界を与え、回転子４の内周面上の磁極の配置を入れ替えるために必要な回転トルクを発生させるようにするだけでよく、従来のソレノイドで可動軸方向への移動の主動力に使われる場合よりも、（原理的に）少ない電力で動作させることができる。
【００６９】
〔可動子について〕
図１に示した構成では、可動子１の永久磁石１−１，１−２を円柱状としたが、円筒状とするなどしてもよい。可動子１の永久磁石１−１，１−２を円柱状としたり、円筒状としたりすることにより、外側に配置される回転子４の内周面との距離を近く設定することができるため、磁気的な効率が良く、小型化にも都合がよい。さらに、円筒状の場合は、体積や磁極間距離に応じて磁力は弱くなるが、内側にシャフトを通して固定できるので、軸合わせやシャフトとの接続が容易になり組立やすくなる。可動子１の永久磁石１−１，１−２は、角型としてもよいが、円柱または円筒状とすることが、磁気的およびスペース的な効率が最も良い形状であると言える。
【００７０】
また、図１に示した構成では、可動子１の永久磁石１−１，１−２を同一の形状、同一のサイズとしたが、必ずしも同一の形状、同一のサイズとしてなくてもよい。同一の形状、同一のサイズとすることにより、双方向の動作特性を均一にすることができる。なお、逆に永久磁石１−１，１−２の形状やサイズを変えることにより、双方向の動作特性を非対称にすることも可能である。
【００７１】
また、図１に示した構成では、可動子１の永久磁石１−１，１−２の可動軸方向の長さｌを回転子４の可動軸方向の長さＬ以上としているが、必ずしもｌ≧Ｌとしなくてもよい。ｌ≧Ｌとすることにより、可動子１のストロークを大きくすることができる。
【００７２】
また、図１に示した構成では、可動子１の永久磁石１−１，１−２を一体としているが、必ずしも一体としてなくてもよく、永久磁石１−１，１−２を別部材として磁力や接着などにより接続しても良い。可動子１の永久磁石１−１，１−２を一体とすることにより、すなわち多磁極着磁で同一部材に永久磁石１−１，１−２を形成することにより、組立を容易とすることができる。
【００７３】
図３に、可動子１の永久磁石１−１と永久磁石１−２とを離間して配置するようにした例（図１に対応する図）を示す。図３に示した例では、可動子１を永久磁石１−１と永久磁石１−２とで構成し、この永久磁石１−１と永久磁石１−２との間（可動軸方向）を非磁性の部材（シャフトなど）１−３で連結している。このような可動子１Ｂを用いることにより、可動子のストロークをさらに大きくすることができる。図４に図２に対応する図を示す。
【００７４】
〔可動子の可動範囲の規制〕
図３に可動子１の可動範囲を制限するようにした例を示す。この例では、可動軸方向の一方側にストッパ８−１を、可動軸方向の他方側にストッパ８−２を設けて、ストッパ８−１により可動体３（可動子１）の可動軸方向の一方側への移動を規制し、ストッパ８−２により可動体３（可動子１）の可動軸方向の他方側への移動を規制し、これにより可動体３（可動子１）の可動軸方向の可動範囲を制限するようにしている。
【００７５】
また、図３に示されるような構成とする場合、可動子１Ｂの永久磁石１−１，１−２が回転子４の中空部４ａ内に入らないように、可動子１Ｂの永久磁石１−１，１−２の内側の端面付近で止まるように可動子１Ｂの可動範囲を制限すると、回転子４の回転を妨げる永久磁石１−１，１−２と回転子４の内周側の磁極との間の吸引力の可動軸Ｚと垂直方向のベクトル成分が大きくなるのを抑制できるので、回転子４を回転させやすくなる。また、可動子１Ｂの永久磁石１−１，１−２の内側の端面が回転子４の中空部４ａ内にわずかに（例えば、回転子４が外径１３ｍｍ、内径８ｍｍ程度のリング状永久磁石であれば、０．５ｍｍ程度）入ったところで止まるように可動子１Ｂの可動範囲を制限すると、さらに回転子４を回転させやすくなる。これは、可動子１Ｂの永久磁石１−１，１−２の回転子４に接近している方の永久磁石の磁極と、回転子４の内周側の磁極との間（異極同士）に発生する吸引力の他に、回転子４の外周側の磁極との間（同極同士）に発生する反発力の影響も受けるためお互いの力がバランスし、回転子４が可動子１Ｂの永久磁石１−１，１−２の回転子４に接近している方の永久磁石から受ける合力として、回転子４の回転を妨げる力が弱くなるためである。
【００７６】
また、図３に示されるような構成とする場合、可動子１および回転子４の近接対向するエッジの両方または片方に面取り部を形成するようにしてもよい。図５に、可動子１および回転子４の近接対向するエッジの両方に面取り部を形成するようにした例を示す。図５（ａ）は要部の側面断面図であり、図５（ｂ）は図５（ａ）を左方向から見た図、図５（ｃ）は図５（ａ）を右方向から見た図である。
【００７７】
図５に示した例では、可動子１の永久磁石１−１および１−２の回転子４に近接対向するエッジに、面取り部１ａおよび１ｂを形成している。また、回転子４の可動子１の永久磁石１−１および１−２に近接対向するエッジに、面取り部４ｂおよび４ｃを形成している。
【００７８】
可動子１と回転子４のエッジ部が近接した時、急激に磁気吸引力が高くなり、可動子１に発生する力の特性が急変するとともに、回転を妨げる可動軸Ｚと直交する方向の力も大きくなる。可動子１および回転子４の近接対向するエッジの両方または片方に面取り部を形成することにより、特性変化が滑らかになるため、固体間によるばらつきが小さくなり、可動軸Ｚと直交する方向の力も弱くなり、回転を妨げるトルクも小さくなるため、回転子回転手段７における低電力化が可能となる。また、可動軸Ｚと平行な方向の力成分が大きくなるため、可動子１の発生力が向上する。
【００７９】
〔回転止め機構について〕
図６に可動体３（可動子１）の可動軸Ｚを中心とした回転を阻止する機構（回転止め機構）の一例の要部を示す。図６（ａ）は要部の側面図であり、図６（ｂ）は図６（ａ）におけるＢ−Ｂ線断面図である。なお、図６において、回転子４や回転子回転手段７などは省略している。
【００８０】
この例において、可動子１の一端に接続されたシャフト２−１はブッシュ（リニアガイド）９−１に挿通され、可動子１の他端に接続されたシャフト２−２はブッシュ（リニアガイド）９−２に挿通されている。ブッシュ（リニアガイド）９−１，９−２は固定されており、このブッシュ（リニアガイド）９−１，９−２を可動体３（可動子１）が可動軸方向に移動する。
【００８１】
ブッシュ（リニアガイド）９−１，９−２の内周面には、突起９ａ，９ｂが形成されており、この突起９ａ，９ｂにシャフト２−１，２−２の外周面に可動軸方向に沿って形成されている溝２ａ，２ｂを係合させて、シャフト２−１，２−２をブッシュ（リニアガイド）９−１，９−２に挿通させている。
【００８２】
この突起９ａ，９ｂと溝２ａ，２ｂとの係合によって、可動体３（可動子１）の可動軸Ｚを中心とした回転が阻止される。また、この突起９ａ，９ｂと溝２ａ，２ｂとの係合によって、つまり、ブッシュ（リニアガイド）９−１，９−２の固定角度によって、可動体３（可動子１）の可動軸Ｚを中心とする回転角度が設定され、この回転角度の設定によって可動子１の永久磁石１−１および１−２の磁極の方向の傾きθが設定される。
【００８３】
〔回転子について〕
図１に示した構成では、回転子４をリングまたは円筒状の永久磁石としたが、リング状や円筒状の永久磁石に限られるものではなく、図７に示すように、１対の磁極を持つ永久磁石４−１，４−２を、その磁極方向が可動軸Ｚと直交するように、可動子１を挟むようにして配置した構成としてもよい。
【００８４】
図７に示した構成では、半リングまたは半円筒状の保持部材（非磁性部材）４−３と４−４の端部間に矩形状の永久磁石４−１，４−２を挟んで、全体の形状をリングまたは円筒状とした回転子４（４Ｂ）を用いている。
【００８５】
この回転子４Ｂでは、永久磁石４−１のＳ極および永久磁石４−２のＮ極の位置を回転子４Ｂの内周面上（第１の円周上）とし、永久磁石４−１のＮ極および永久磁石４−２のＳ極の位置を回転子４Ｂの外周面上（第２の円周上）としている。すなわち、１対の磁極を持つ永久磁石４−１，４−２を、その磁極方向が可動軸Ｚと直交するように、可動子１を挟むようにして配置した構成としている。
【００８６】
なお、図８に示すように、円板状の保持部材（非磁性部材）４−５上に矩形状の永久磁石４−１，４−２を設けるようにしてもよく、図９に示すように、リングまたは円筒状の保持部材（非磁性部材）４−６の外周面に矩形状の永久磁石４−１，４−２を嵌め込むようにしてもよい。図７〜図９に示すような保持部材４−３〜４−６を用いることにより、磁石材料の使用量を削減することができ、摺動部を一体化するなど、設計の自由度が広がる。
【００８７】
〔回転子回転手段について〕
図１に示した構成では、回転子回転手段７（７Ａ）を電磁コイル５とヨーク６−１，６−２とから構成し、ヨーク６−１および６−２の他方の端部を可動軸Ｚとほゞ直交する方向から回転子４を挟んで対向させるようにしているが、必ずしもこのような構成でなくてもよい。
【００８８】
例えば、図１０に示すように、可動軸Ｚを挟んでその軸芯をほゞ一致させてかつそのコアの一端を対向させて配置した１組の電磁コイル５−１，５−２と、この１組の電磁コイル５−１，５−２のコアの一端にその一方の端部が接続または一体化されたヨーク６−３，６−４と、この１組の電磁コイル５−１，５−２のコアの他端を連結するヨーク６−５とで回転子回転手段７を構成するようにしてもよい。
【００８９】
この回転子回転手段７（７Ｂ）では、１組の電磁コイル５−１，５−２のコアの一端にその一方の端部を接続または一体化したヨーク６−３，６−４の他方の端部を、可動軸Ｚとほゞ直交する方向から可動子１を挟んで対向させている。また、ヨーク６−３および６−４の他方の端部の形状を回転子４の外周面の形状に合わせて円弧状としている。この円弧の形状は、回転子４の外周と同心円状に形成するのが回転効率を向上させるために好ましい。
【００９０】
また、図１に示した構成では、ヨーク６−１および６−２の他方の端部の形状を回転子４の外周面の形状に合わせて円弧状としているが、図１１に示すように、ヨーク６−１および６−２の他方の端部の形状を平坦面としてもよい。ヨーク６−１および６−２の他方の端部の形状を円弧状とすると、回転力の発生効率が良くなる（低磁束（低電力）で回転させることができる）。なお、それぞれ対向するヨーク６−１および６−２の円弧の両端部分は、断面積を小さく（磁気抵抗を高く）し、近接して対向させることが回転力を大きくするために好ましい。
【００９１】
また、図１に示した構成では、ヨーク６−１および６−２の他方の端部の突き合わせ部に空間を設けているが、図１２に示すように、突き合わせ部に空間を設けずに接続または一体化するようにしてもよい。ヨーク６−１および６−２の他方の端部の突き合わせ部を接続または一体化すると、すなわちヨーク６−１および６−２の他方の端部を部分的に接続または一体化すると、回転力の発生効率は低下するが、位置合わせや組み付けが容易となる。
【００９２】
また、図１に示した構成では、電磁コイル５の非励磁状態における交差角θの設定を可動子１の可動軸Ｚを中心とする回転角度の設定によって行うようにしているが、ヨーク６−１および６−２の非対称な形状または配置で行うようにしてもよい。図１３，図１４にその一例を示す。
【００９３】
図１３に示した例では、ヨーク６−１および６−２の他方の端部の形状を非対称とすることにより、電磁コイル５の非励磁状態において、回転子４とヨーク６−１および６−２の他方の端部との間に働く吸引力によって回転子４の回転角度がバランスする安定位置を設定することにより交差角θを生じさせるようにしている。
【００９４】
図１４に示した例では、ヨーク６−１および６−２の他方の端部にノッチ６ａおよび６ｂを設けることにより、電磁コイル５の非励磁状態において、回転子４とヨーク６−１および６−２の他方の端部との間に働く吸引力によって回転子４の回転角度がバランスする安定位置を設定することにより交差角θを生じさせるようにしている。
【００９５】
このように、ヨーク６−１および６−２の非対称な形状または配置で交差角θの設定を行うようにすると、回転子４を所定の角度位置に保持する保持トルクが働くため、電磁コイルの励磁以外の要因による回転を妨げ、誤動作を防止することが可能となる。
【００９６】
なお、図１３および図１４に示した例において、可動子１の磁極の方向は図示されていないが、可動子１の可動軸Ｚ方向の発生力を最大にするために、可動子１の磁極の方向も回転子４の磁極の方向と合わせるように回転止め機構によって設定することが好ましい。
【００９７】
また、図１５に示すように、図１１に示した構成において、可動軸Ｚとほゞ直交する方向から可動子１を挟んで対向するヨーク６−１，６−２の端部の中心を結ぶ線と可動軸Ｚとを交わらせないようにしてもよい。
【００９８】
また、図１６に示すように、図１１に示した構成において、可動軸Ｚとほゞ直交する方向から可動子１を挟んで対向するヨーク６−１，６−２の端部の中心を、可動軸Ｚに直交する面内で可動子１の両側にずらすようにしてもよい。
【００９９】
図１５，図１６に示すような構成とすると、図１１に示した構成に比べて電磁コイル５の励磁で回転し易くなるため、低電力で回転させることができ、回転子回転手段７の 省電力化が可能となる。
【０１００】
また、図１７に示すように、回転子４に対し可動軸Ｚとほゞ直交する方向から進退自在として、１組の回転力発生用の永久磁石１０−１，１０−２を設けるようにしてもよい。
【０１０１】
図１７に示した例では、回転力発生用の円弧状の永久磁石１０−１をＳ極を回転子４側として回転子４の上側に設け、回転力発生用の円弧状の永久磁石１０−２をＳ極を回転子４側として回転子４の下側に設け、押ボタン１１−１とコイルバネ１２−１とを回転力発生用の永久磁石１０−１に付設することによって、回転力発生用の永久磁石１０−１を回転子４に対して進退自在とし、押ボタン１１−２とコイルバネ１２−２とを回転力発生用の永久磁石１０−２に付設することによって、回転力発生用の永久磁石１０−２を回転子４に対して進退自在としている。
【０１０２】
この回転力発生用の永久磁石１０−１，１０−２を用いた回転子回転手段７（７Ｃ）では、可動子１の永久磁石１−１が回転子４に磁気吸引されている場合に、押ボタン１１−２が押され、回転力発生用の永久磁石１０−２が回転子４に近づけられると、回転力発生用の永久磁石１０−２の回転子４に対向する磁極（Ｓ極）と回転子４の外周面の磁極（Ｓ極）との間の磁気反発および他方の磁極（Ｎ極）との磁気吸引によって、回転子４が回転してその内周面上の磁極の配置が第１の配置から第２の配置に切り換えられる。これにより、可動体３が可動軸方向の一方側に移動し、可動子１の永久磁石１−２が回転子４にラッチされる（図１８参照）。
【０１０３】
また、可動子１の永久磁石１−２が回転子４に磁気吸引されている場合（図１８参照）に、押ボタン１１−１が押され、回転力発生用の永久磁石１０−１が回転子４に近づけられると、回転力発生用の永久磁石１０−１の回転子４に対向する磁極（Ｓ極）と回転子４の外周面の磁極（Ｓ極）との間の磁気反発および他方の磁極（Ｎ極）との磁気吸引によって、回転子４が回転してその内周面上の磁極の配置が第２の配置から第１の配置に切り換えられる。これにより、可動体３が可動軸方向の他方側に移動し、可動子１の永久磁石１−１が回転子４にラッチされる（図１７参照）。
【０１０４】
図１に示した構成や図１７に示した構成では、回転子４に外部から磁界を与えるようにしているが、図１９に示すように、回転子４に回転レバー１３（１３−１，１３−２）を取り付け、この回転レバー１３に外部から機械的な力（回転トルク）を与えて回転子４を回転させ、回転子４の内周面上の磁極の配置を入れ替えるようにしてもよい。
【０１０５】
この構成では、回転レバー１３と、この回転レバー１３に外部から機械的な力を与える手段によって、回転子回転手段７（７Ｄ）が構成される。なお、図１９には示していないが、回転レバー１３に外部から機械的な力を与える手段として、手動やモータ等のアクチュエータなどが考えられる。
【０１０６】
回転子４に外部から磁界を与えるようにすると、非磁性の遮蔽物を通して、回転子４を駆動することが可能である。例えば、管の中の防爆領域にある回転子４を非接触で駆動することが可能となる。
【０１０７】
〔回転止め機構の他の例〕
図１に示した構成では、図６に示したように、ブッシュ（リニアガイド）９−１，９−２に回転止めの突起９ａ，９ｂを設けることによって、可動体３（可動子１）の可動軸Ｚを中心とした回転を阻止するようにしたが、必ずしもこのような回転止め機構としなくてもよい。
【０１０８】
図２０に回転止め機構の他の例を示す。図２０（ａ）は要部の側面図であり、図２０（ｂ）は図２０（ａ）におけるＣ−Ｃ線断面図である。なお、図２０において、回転子４や回転子回転手段７などは省略している。
【０１０９】
この例において、ブッシュ（リニアガイド）９−１，９−２には回転止めの突起は設けられておらず、可動子１に接続されたシャフト２−１および２−２を直動および回転可能に軸支する。ブッシュ（リニアガイド）９−１，９−２は固定されている。この例において、ブッシュ（リニアガイド）９−１は、ベース部材（非磁性部材）１４に固定（圧入）されている。ブッシュ（リニアガイド）９−２は他の部材に固定（圧入）されている。
【０１１０】
１５は可動子１の可動軸方向の力を受ける外部の被動作体であり、ベース部材１４に設けられた複数のピン１６をガイドとしてその可動軸方向への動きが案内されると共に、可動軸Ｚを中心とする回転方向の動きがピン１６によって規制される。
【０１１１】
シャフト２−１の先端は被動作体１５に接続（固定）されており、ブッシュ（リニアガイド）９−１，９−２によって案内される可動軸方向の可動体３（可動子１）の動きが、被動作体１５に伝達される。また、ピン１６によって被動作体１５の回転が規制されることにより、可動体３（可動子１）の可動軸Ｚを中心とした回転が阻止される。
【０１１２】
図２１〜図２４に回転止め機構の別の例を示す。図２１に示した例では、ベース部材１４に設けられた複数のピン１６を被動作体１５（例えば、遮断弁の弁体など）に設けられた孔１５ａに挿入することにより、被動作体１５の可動軸方向への動きを案内すると共に、被動作体１５の可動軸Ｚを中心とする回転方向の動きを規制（可動体３（可動子１）の可動軸Ｚを中心とした回転を阻止）するようにしている。
【０１１３】
図２２に示した例では、被動作体１５の裏面側に設けられた複数のピン１７をベース部材１４に設けられた孔１４ａに挿入することにより、被動作体１５の可動軸方向への動きを案内すると共に、被動作体１５の可動軸Ｚを中心とする回転方向の動きを規制（可動体３（可動子１）の可動軸Ｚを中心とした回転を阻止）するようにしている。
【０１１４】
図２３に示した例では、被動作体１５の裏面側に設けられた複数の凸部１５ｂとベース部材１４に設けられた複数の凸部１４ａとを噛み合わせることにより、被動作体１５の可動軸方向への動きを案内すると共に、被動作体１５の可動軸Ｚを中心とする回転方向の動きを規制（可動体３（可動子１）の可動軸Ｚを中心とした回転を阻止）するようにしている。
【０１１５】
図２４に示した例では、被動作体１５の裏面側に設けられた柱状の凸部１５ｃをベース部材１４に設けられた角孔１４ｂに挿入することにより、被動作体１５の可動軸方向への動きを案内すると共に、被動作体１５の可動軸Ｚを中心とする回転方向の動きを規制（可動体３（可動子１）の可動軸Ｚを中心とした回転を阻止）するようにしている。
【０１１６】
図２１〜図２４に示すような構成とすることにより、被動作体１５に何らかの外力（可動軸Ｚを中心とした回転力）が加わってしまった場合の誤動作を防止することができると共に、回転止めをシャフト側に設けないようにすることが可能となる。
【０１１７】
図２５および図２６に可動体３（可動子１）および回転子４の保持構造を例示する。なお、図２５および図２６において、回転子回転手段７や可動体３（可動子１）の回転止め機構などは省略している。
【０１１８】
図２５に示した例では、ベース部材（非磁性部材）１４（１４Ａ）と管状部材（非磁性部材）２１（２１Ａ）とによって作られる隔室２２内に、可動体３（可動子１）と、回転子４とを設けている。可動体３のシャフト２−１は、ベース部材１４Ａに固定（圧入）されたブッシュ（リニアガイド）９−１に挿通され、可動体３のシャフト２−２は、管状部材２１Ａの管内に固定（圧入）されたブッシュ（リニアガイド）９−２に挿通されている。回転子４は、ベース部材１４Ａと管状部材２１Ａとで挟まれた隔室２２内の空間に、可動軸Ｚを中心として回転可能に、かつ可動軸方向の移動を阻止するように保持されている。
【０１１９】
図２６に示した例では、ベース部材１４（１４Ｂ）と管状部材２１（２１Ｂ）とによって作られる内部の隔室２２に、可動体３（可動子１）を設けている。可動体３のシャフト２−１は、ベース部材１４Ｂに固定（圧入）されたブッシュ（リニアガイド）９−１に挿通され、可動体３のシャフト２−２は、管状部材２１Ｂの管内に固定（圧入）されたブッシュ（リニアガイド）９−２に挿通されている。回転子４は、管状部材２１Ｂの外側設けられた溝２３に、可動軸Ｚを中心として回転可能に、かつ可動軸方向の移動を阻止するように保持されている。
【０１２０】
〔可動子の永久磁石について〕
図１に示した構造では、可動子１を構成する永久磁石１−１，１−２を２磁極としているが、４磁極以上（例えば、円柱径方向着磁（円筒の場合は、内周側にも磁極があるため８磁極））の多磁極の永久磁石としてもよい。
【０１２１】
図２７に、可動子１の永久磁石１−１，１−２を円柱状の永久磁石とし、この円柱状の永久磁石を４磁極とした場合の構成図を示す。図２７（ａ）は要部の側面断面図であり、図２７（ｂ）は図２７（ａ）を左方向から見た図、図２７（ｃ）は図２７（ａ）を右方向から見た図である。なお、図２７において、図１に示されている回転子回転手段７などは省略している。
【０１２２】
この例では、可動子１の永久磁石１−１の円周方向を４分割し、９０゜間隔で隣接する周方向の面に磁極を形成している。この例では、９０゜間隔で隣接する周方向の第１の面（図２７（ｂ））では上側の面）にＳ極を、第２の面（図２７（ｂ）では左側の面）にＮ極を形成し、第３の面（図２７（ｂ）では下側の面）にＳ極を、第４の面（図２７（ｂ）では右側の面）にＮ極を形成している。
【０１２３】
同様に、可動子１の永久磁石１−２の円周方向を４分割し、９０゜間隔で隣接する周方向の面に磁極を形成している。この例では、９０゜間隔で隣接する周方向の第１の面（図２７（ｃ））では上側の面）にＮ極を、第２の面（図２７（ｃ）では左側の面）にＳ極を形成し、第３の面（図２７（ｃ）では下側の面）にＮ極を、第４の面（図２７（ｃ）では右側の面）にＳ極を形成している。
【０１２４】
また、これに伴い、回転子４もその内周面を４磁極、外周面を４磁極、合計８磁極のリング状の永久磁石としている。すなわち、回転子４の内周面の円周方向を４分割し、９０゜間隔で隣接する周方向の面に磁極を形成している。この例では、９０゜間隔で隣接する周方向の第１の面（図２７（ｂ））では上側の面）にＮ極を、第２の面（図２７（ｂ）では左側の面）にＳ極を形成し、第３の面（図２７（ｂ）では下側の面）にＮ極を、第４の面（図２７（ｂ）では右側の面）にＳ極を形成している。
【０１２５】
同様に、回転子４の外内周面の円周方向を４分割し、９０゜間隔で隣接する周方向の面に磁極を形成している。この例では、９０゜間隔で隣接する周方向の第１の面（図２７（ｂ））では上側の面）にＳ極を、第２の面（図２７（ｂ）では左側の面）にＮ極を形成し、第３の面（図２７（ｂ）では下側の面）にＳ極を、第４の面（図２７（ｂ）では右側の面）にＮ極を形成している。
【０１２６】
なお、図２７に示した構造において、回転子回転手段７を設ける場合には、図２８に示すように、ヨーク６−１および６−２の他方の端部は、可動軸Ｚとほゞ直交する方向から回転子４の永久磁石の外周面上の隣り合う１対の磁極にほゞ対向するように配置する。
【０１２７】
図２８に示すようにヨーク６−１，６−２を配置する場合も、電磁コイル５の非励磁状態において、ヨーク６−１の他方の端部の中心と可動軸Ｚとを直交するように結ぶ線とヨーク６−１の他方の端部とほゞ対向する回転子４の永久磁石の外周面上の磁極の中心と可動軸Ｚとを直交するように結ぶ線との交差角をθとして、またヨーク６−２の他方の端部の中心と可動軸Ｚとを直交するように結ぶ線とヨーク６−２の他方の端部とほゞ対向する回転子４の永久磁石の外周面上の磁極の中心と可動軸Ｚとを直交するように結ぶ線との交差角をθとして、生じさせるようにすることが望ましい。
【０１２８】
なお、例えば、可動子１を構成する永久磁石１−１，１−２を４磁極とする場合、図２９に示すように、回転子４における磁極対は上下だけの２方向でもよい。但し、磁極対を上下だけの２方向とした場合、同極対向となるので、コイル（電磁力）による回転は困難となるが、構成は可能である。
【０１２９】
また、上述した実施の形態において、永久磁石は、例えば、ネオジムやサマリウムコバルトなどの希土類磁石またはフェライト磁石、あるいは、それらの磁性体粉末に樹脂を混合して成形したボンド磁石などからなる。ヨークは、飽和磁束密度や透磁率が大きく、保磁力が小さく、磁気ヒステリシスの小さい軟磁性材料（例えば、電磁鋼板、電磁軟鉄、パーマロイなど）からなる。また、シャフトなどの非磁性部材は、例えば、アルミ、ＳＵＳ３１６（Ｌ）、真鍮、樹脂などからなる。なお、非磁性部材は、上述のような非磁性材料の代わりに、わずかに磁性を持つ材料（例えば、ＳＵＳ３０４など）でも構成は可能であり、性能は低くなるがコストなどの観点から選択することも考えられる。
【０１３０】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【０１３１】
１（１Ａ，１Ｂ）…可動子、１−１，１−２…永久磁石、２−１，２−２…シャフト、３…可動体、４（４Ａ，４Ｂ）…回転子、４−１，４−２…永久磁石、５…電磁コイル、６−１，６−２…ヨーク、７（７Ａ，１７Ｂ，１７Ｃ）…回転子回転手段。
【図１】
2015053816.tif 000003
【図２】
2015053816.tif 000004
【図３】
2015053816.tif 000005
【図４】
2015053816.tif 000006
【図５】
2015053816.tif 000007
【図６】
2015053816.tif 000008
【図７】
2015053816.tif 000009
【図８】
2015053816.tif 000010
【図９】
2015053816.tif 000011
【図１０】
2015053816.tif 000012
【図１１】
2015053816.tif 000013
【図１２】
2015053816.tif 000014
【図１３】
2015053816.tif 000015
【図１４】
2015053816.tif 000016
【図１５】
2015053816.tif 000017
【図１６】
2015053816.tif 000018
【図１７】
2015053816.tif 000019
【図１８】
2015053816.tif 000020
【図１９】
2015053816.tif 000021
【図２０】
2015053816.tif 000022
【図２１】
2015053816.tif 000023
【図２２】
2015053816.tif 000024
【図２３】
2015053816.tif 000025
【図２４】
2015053816.tif 000026
【図２５】
2015053816.tif 000027
【図２６】
2015053816.tif 000028
【図２７】
2015053816.tif 000029
【図２８】
2015053816.tif 000030
【図２９】
2015053816.tif 000031